(57)【要約】【課題】  ブラシ部をブラシ柄に容易、かつ堅固に固定できる歯間ブラシ等の柄付き小形ブラシを安価にして提供する。【解決手段】  金属製ブラシ軸１１の先端部１１ａにブラシ毛１２が設けられたブラシ部１を該ブラシ軸１１の基端部１１ｂを介してブラシ柄２の先端部２ａに保持した柄付き小形ブラシにおいて、前記ブラシ柄２を、長さ方向に沿って半径方向で略二分された第１分割半体２１と第２分割半体２２とで構成し、前記両２分割半体２１，２２における各対向面２１ａ，２２ａに、互いに相手方の分割半体に対してブラシ軸方向で位相差のある位置関係もち、両分割半体２１，２２を結合した時の操作力を受けて前記ブラシ軸１１の基端部を略ジグザグ状に屈曲させて噛み込み係止させる押圧用突部３１〜２４をそれぞれ形成する【選択図】        図４
2005176906.tif 000002
【特許請求の範囲】
【請求項１】
金属製ブラシ軸の先端部にブラシ毛が設けられたブラシ部が該ブラシ軸の基端部を介してブラシ柄の先端部に保持されている柄付き小形ブラシにおいて、
前記ブラシ柄は、長さ方向に沿って半径方向で略二分された第１分割半体と第２分割半体とで構成され、
前記第１分割半体と第２分割半体の各対向面には、互いに相手方の分割半体に対してブラシ軸方向で位相差のある位置関係もち、両分割半体を結合した時の操作力を受けて前記ブラシ軸の基端部を略ジグザグ状に屈曲させて噛み込み係止させる押圧用突部がそれぞれ形成されていることを特徴とする歯間ブラシ等の柄付き小形ブラシ。
【請求項２】
前記押圧用突部は、前記第１分割半体と第２分割半体のうちの少なくとも一方に複数個が形成されており、
前記ブラシ軸の基端部に対する噛み込む個所が複数存在するように構成されている請求項１に記載の歯間ブラシ等の柄付き小形ブラシ。
【請求項３】
前記第１分割半体と第２分割半体とは、ブラシ軸方向の後端側で互いにヒンジ片を介して回動可能に一体に連結されている請求項１に記載の歯間ブラシ等の柄付き小形ブラシ。
【請求項４】
前記回動可能に連結された第１分割半体と第２分割半体のうちの一方の先端部には、他方の分割半体側に形成された係合部に離脱可能に係止する係止部が形成されている請求項３に記載の歯間ブラシ等の柄付き小形ブラシ。
【発明の詳細な説明】
【技術分野】
【０００１】
この発明は、歯間用ブラシやマスカラ用ブラシなどに適用される柄付き小形ブラシに関する。
【背景技術】
【０００２】
この種の小形ブラシ、例えば歯間用ブラシは、金属製のブラシ軸の先端部にブラシ毛が設けられたブラシ部を、該ブラシ軸の基端部を介してブラシ柄の先端部に保持させている。なお、ブラシ軸は、ＳＵＳなどからなる極細のワイヤを二つ折りにしてブラシ毛を挟み、このワイヤを軸芯周りに捻じることにより形成されている。
【０００３】
そして、このようなブラシ部をブラシ柄の先端部に取り付けるには、一般に、ブラシ柄の外形状に対応した凹部を多数形成した金型の各凹部に前記ブラシ毛を設けたブラシ軸をそれぞれ配設した状態で射出成形してブラシ柄を成形すると同時に、ブラシ軸の基端部を各ブラシ軸に固定させるインサート射出成形法が採られている。
【０００４】
また、これとは別に、熱溶融性合成樹脂製のブラシ柄の先端面にブラシ軸挿入孔を形成しておき、該ブラシ軸の基端部を加熱してから前記挿入孔に挿入して該挿入孔内を溶融させ、その溶融樹脂の硬化によって前記ブラシ軸をブラシ柄に固定する方法もある。
【０００５】
しかし、前者の方法では、金型の各凹部にそれぞれ極小のブラシ軸を手作業でセットしなければならず、これに多大な時間を要し、しかもバッチ生産の域を超えられず、量産性に劣るという問題があった。
【０００６】
また、後者の方法では、ブラシ軸の基端部の加熱温度によってブラシ柄を溶融させる構成であるから、ブラシ軸に対する温度制御を厳密に管理しなければならない。つまり、加熱温度が低いと、ブラシ軸が所定位置まで挿入される前に樹脂が硬化して挿入不足状態になり、逆に、加熱温度が高いと、ブラシ軸が所定位置を超えても樹脂の硬化が始まらず、挿入度合いが深すぎる状態になってしまうというような問題があり、現実にはなかなか採用され難い。
【０００７】
このような事情から、最近では、ブラシ軸をもったブラシ部と、ブラス部が保持されるブラシ柄とを別々に製作して量産化に対応したものが開発されている。
【０００８】
例えば従来、ブラシ軸の基端部に屈曲部を形成する一方、ブラシ柄を二分割の半割り体で構成するとともに、半割り体の対向面に前記屈曲部が嵌合する位置決め溝部を形成し、この溝部に前記ブラシ軸の屈曲部を嵌合した状態で両半割り体を結合させることにより、前記ブラシ軸をブラシ柄の所定位置に保持させる技術が提案されている（例えば、特許文献１参照）。
【０００９】
また、ブラシ軸の基端部が挿入されるブラシ柄の周壁に複数の押し棒挿入用の透孔を形成し、各透孔にそれぞれ押し棒を押し込んでブラシ軸の基端部をジグザク状に変形させることにより、前記ブラシ軸をブラシ柄の先端に固定する技術も提案されている（例えば、特許文献２）。
【特許文献１】特開２００３−２５０６３３号公報（第４〜第５頁、第２図）
【特許文献２】特開平１０−１５５５４６号公報（第２頁、第３図）
【発明の開示】
【発明が解決しようとする課題】
【００１０】
しかし、上記した前者の技術では、量産が可能になり、加熱制御などの煩わしさもなくなるものの、前記ブラシ部をブラシ柄に保持させるにあたってブラシ軸の基端部に屈曲部を形成しておかなければならないし、ブラシ軸の屈曲部が半割り体の溝に的確に嵌合されていないと、半割り体を合体しても、ブラシ軸が不本意に離脱するおそれもある。
【００１１】
また、上記した後者の技術では、ブラシ柄内部に挿入されたブラシ軸を係止するために、ブラシ柄の複数の透孔に押し棒をそれぞれ押し込んで係止させなければならず、その作業が結構面倒であるうえ、わざわざ押し棒を用意しなければならず、コスト高になる。
【００１２】
この発明は、上記事情に鑑みてなされたものであり、ブラシ軸をブラシ柄に簡単、かつ適正に固定でき、低コスト化を図ることができる柄付き小形ブラシを提供することを課題としている。
【課題を解決するための手段】
【００１３】
上記課題を解決するために、請求項１の発明の小形ブラシは、、金属製ブラシ軸の先端部にブラシ毛が設けられたブラシ部が該ブラシ軸の基端部を介してブラシ柄の先端部に保持されている柄付き小形ブラシにおいて、前記ブラシ柄は、長さ方向に沿って半径方向で略二分された第１分割半体と第２分割半体とで構成され、前記第１分割半体と第２分割半体との各対向面には、互いに相手方の分割半体に対してブラシ軸方向で位相差のある位置関係もち、両分割半体を結合した時の操作力を受けて前記ブラシ軸の基端部を略ジグザグ状に屈曲させて噛み込み係止させる押圧用突部がそれぞれ形成されていることを特徴としている。
【００１４】
また、請求項２の発明の柄付き小形ブラシは、前記押圧用突部が前記第１分割半体と第２分割半体のうちの少なくとも一方に複数個が形成されており、前記ブラシ軸の基端部に対する噛み込む個所が複数存在するように構成されていることを特徴とする。
【００１５】
さらに、請求項３の発明の柄付き小形ブラシは、前記第１分割半体と第２分割半体とは、ブラシ軸方向の後端側で互いにヒンジ片を介して回動可能に一体に連結されていることを特徴としている。
【００１６】
さらにまた、請求項４の発明の柄付き小形ブラシは、前記回動可能に連結された第１分割半体と第２分割半体のうちの一方の先端部には、他方の分割半体側に形成された係合部に離脱可能に係止する係止部が形成されていることを特徴としている。
【発明の効果】
【００１７】
以上のように、請求項１の発明によれば、ブラシ部とブラシ柄とを別々にして量生化に対応できることはもとより、ブラシ軸の基端部が挿入された第１分割半体に第２分割半体を結合させれば、押圧用突部によりブラシ軸の基端部が屈曲されて噛み込み係止される構成であるから、ブラシ軸の基端部を予め屈曲させる手間も要らずに、ブラシ柄に容易に取り付けることができるとともに、ブラシ軸が前記ジグザグ状に屈曲されて噛み込み係止されるので、ブラシ軸の堅固な取り付け状態が確保され、高い抜け止め効果が保証される。さらに、ブラシ軸の基端部をブラシ柄に挿入した後で押し棒を使って屈曲させるものに比して、格別の工具や設備を必要とせず安価に製作できる。
【００１８】
また、請求項２の発明によれば、前記押圧用突部によるブラシ軸の基端部の噛み込み個所が複数部位に存在することにより、ブラシ軸に対する抜け止め効果が一層有効に発揮される。
【００１９】
さらに、請求項３の発明によれば、前記第１分割半体と第２分割半体とは、ブラシ軸方向の後端側で互いにヒンジ片を介して回動可能に一体に連結されているので、両分割半体を同時に成形できるとともに、別体のものに比して取り扱いが容易であり、また両分割半体を合体させる組立作業も容易になしうる。
【００２０】
さらにまた、請求項４の発明によれば、前記回動可能に連結された第１分割半体と第２分割半体とが離脱可能に係止されているので、ブラシ部が磨耗した場合には、全体を使い捨てしなくても、前記係合を解除することにより、ブラシ部を取り替えることも可能となる。
【発明を実施するための最良の形態】
【００２１】
以下、この発明の実施形態を図面に基づいて説明する。
【００２２】
図１および図２は、それぞれこの発明の実施形態にかかる柄付き小形ブラシを示す外観斜視図および分解斜視図である。ここでは、歯と歯の隙間などの清掃に使用する歯間ブラシＰを例に説明する。
【００２３】
図１および図２において、この歯間ブラシＰは、ブラシ部１とブラシ柄２とから構成されている。
【００２４】
前記ブラシ部１は、ブラシ軸１１と、このブラシ軸１１の先端部１１ａに保持されたブラシ毛１２とを備えており、ＳＵＳなどの耐蝕性および耐加工硬化性に優れた極細のワイヤをブラシ軸１１の構成材としている。このワイヤを二つ折りにした状態で、その先端部に前記ブラシ毛１２を構成する多数本のフィラメントを挟持させてから、このワイヤを軸芯周りに捻じり加工することにより、前記ブラシ部１が形成されている。
【００２５】
前記ブラシ柄２は、前記ブラシ軸１１の延長状の基端部１１ｂを介して前記ブラシ部１を保持するものであり、例えば合成樹脂により成形された先細り状の先端部としての首部２ａと、この首部２ａの後端に連成された中空状の胴部２ｂとを有しており、前記首部２ａの先端面には、図３に示すように、前記ブラシ軸１１の基端部１１ｂを挿入するための細径のブラシ軸挿通孔２３が前記胴部２ｂ内に連通して形成されている。
【００２６】
このブラシ柄２は、長さ方向に沿って半径方向で略２分割されており、前記首部２ａを含む第１分割半体２１と胴部（２ｂ）のみからなる第２分割半体２２とから構成されている。第１分割半体２１における長手方向（ブラシ軸１１に沿った方向）の後端と第２分割半体２２における長手方向の後端とは、屈曲変形可能な薄肉部からなるヒンジ片２４を介して連成されており、これにより、第２分割半体２２は、前記ヒンジ片２４を介して前記第１分割半体２１に対して開放された位置と第１分割半体２１に合体する位置との間で回動変位可能に設定されている。
【００２７】
第１分割半体２１における首部２ａには、胴部２ｂとの境界に位置して半径方向へ貫通する孔部２５が形成されており、孔部２０における第１分割半体２１の周面側の開口端部には、図３に示すように、係合凹部２６が形成されている。
【００２８】
第２分割半体２２における長手方向の先端には、この第２分割半体２２を第２分割半体に合体させた際に、孔部２５を通過して前記係合凹部２５に離脱可能に係合するＬ形の係止突起２７が一体形成されている。なお、この係止突片２７には、係合操作時の弾性変形を生じ易くすると共に、第１分割半体２１の胴部２ｂまで挿入されたブラシ軸１１に衝突するのを回避するために図２に示すように、すり割り孔２８が形成されている。
【００２９】
前記第１分割半体２１内における第２分割半体２２との対向面２１ａには、図３に示すように、前記首部２ａに近接した部位に位置して前記ブラシ軸１１に対する板状の押圧用突部３１が一体形成され、さらに、その押圧用突部３１から一定距離を隔てた部位にも、前記ブラシ軸１１に対する板状の押圧用突部３２が形成されている。
【００３０】
他方、前記第２分割半体２２内における第１分割半体２２との対向面２２ａには、図３にも示すように、その長手方向後端側において、前記押圧用突部３１と押圧用突部３２との間に対応する位置（つまり、ブラシ軸方向で位相差の位置関係にある）に、前記ブラシ軸１１に対する板状の押圧用突部３３が一体形成され、さらに、その押圧用突部３３から一定間距離を隔てて前記押圧突部３２とは対向しない位置（つまり、ブラシ軸方向で位相差の位置関係にある）にも、前記ブラシ軸１１に対する板状の押圧用突部３４が一体形成されている。
【００３１】
前記第１分割半体２１側の押圧用突部３１，３２と第２分割半体２２側の押圧用突部３３，３４とは、両分割半体２１，２２を合体するために、前記係止突起２７を孔部２５に押し込んで係合凹部２６に係合させた時に、前記押し込み力を受けて、前記ブラシ軸挿通孔２３内に挿入されているブラシ軸１１の基端部１１ｂを図４（Ｂ）に示すように、ジグザグ状に屈曲させて噛み込み係止するように設定されている。勿論、これら押圧用突部３１〜３４は、板状に限らず、前記押し込み力によってブラシ軸１１を変形できる形状であればよい。また、前記第１分割半体２１および第２分割半体２２は、前記ブラシ軸１１を押圧用凸部３１〜３４で屈曲変形できる空間があれば、その形状は任意に変更可能である。
【００３２】
つぎに、上記構成の歯間ブラシＰの組立について説明する。
【００３３】
まず、ブラシ部１におけるブラシ軸１１の基端部１１ｂを前記ブラシ柄２のブラシ軸挿通孔２３から挿入し、図４（Ａ）に示すように、前記第１分割半体２１における所定位置（押圧用突部３１，３２を超える軸方向後方位置）まで挿入する。
【００３４】
この状態で第２分割半体２２をヒンジ片２４を中心にして回動して、図４（Ｂ）に示すように、第１分割半体２１に合体させるように、前記係止突起２７を第１分割半体２１側の孔部２５に押し込めば、該係止突起２７が前記係合凹部２６に離脱可能に係合し、第１分割半体２１に第２分割半体２２が結着され、ブラシ柄２が作成される。
【００３５】
前記係止突起２７を係合凹部２６に係合させた際には、その時の押し込み力を受けて前記第１分割半体３１，３２と第２分割半体２２側の押圧用突部３３，３４とが図４（Ｂ）に示すように、ブラシ軸１１の基端部１１ｂを押圧しながら互いに位相差をもって入り込む。この結果、ブラシ軸１１の基端部１１ｂが前記押圧用突部３１〜３４によってジグザグ状に屈曲変形して噛み込み状態で係止され、これにより、ブラシ部１が前記ブラシ軸１１に基端部１１ｂを介してブラシ柄２に保持される。
【００３６】
このように、上記ブラシ軸１１の基端部１１ｂに曲げなどの加工を施さなくても、そのままブラシ軸挿入孔２３から所定量挿入しておけば、前記第１分割半体２１と第２分割半体２２とを合体させる操作に伴って前記ブラシ軸１１の基端部１１ｂを介してブラシ部１をブラシ柄２に簡単に保持させることができ、しかも、このブラシ部２の取り付け状態では、押圧用突部３１〜３４により前記ブラシ軸１１の基端部１１ｂがジグザグ状に屈曲されて噛み込み係止されるので、ブラシ軸１１の抜け止め作用が有効に発揮される。
【００３７】
前記押圧用突部３１〜３４については、ブラシ軸１１をジグザク状に屈曲変形できれば、その数は任意に変更可能である。例えば、図６に示すように、３つの押圧用突部３２，３３，３４により、噛み込み個所Ｘを二つとしたもの、あるいは、図７に示すように、二つの押圧用突部３２，３４により、噛み込み個所Ｘを一つとしたものあってもよく、また、図８に示すように、押圧用突部３３，３４を凹状にし、押圧用突部３２（３１）を凸状にしたものでもよい。そのなかでも、前記ブラシ軸１１の抜け止め機能を強化できる点からすれば、図６に示すものなどをはじめ、前記押圧用突部が第１分割半体２１と第２分割半体２２のうちの少なくとも一方には、複数形成されるものが好ましく、とくに四つの押圧用突部３１〜３４により、噛み込み個所Ｘが三つとなる前記実施形態のものが推奨される。
【００３８】
ところで、長期の使用によって、前記ブラシ部１のブラシ毛１２が磨耗したりした場合には、ブラシ全体を使い捨てしなくても、前記係止突起２７と係合凹部２６との係合を解除して第２分割半体２１を第１分割半体２２から開放させてから、ブラシ軸１１を引き抜けば、新たなブラシ部１１とを取り替えることができ、経済的である。
【００３９】
なお、この実施形態では、第１分割半体２１と第２の分割半体２２とをそれぞれ長手方向の後端でヒンジ片２４を介して一体に連結したもので説明したが、第１分割半体２１と第２分割半体２２とをそれぞれの幅方向の端縁でヒンジ片２４を介して連結することも可能である。
【００４０】
また、第２の分割半体２２の先端を図９に示すように、第１分割半体２１の先端側にヒンジ片２４を介して連結し、前記係止突起２７を第２分割半体２２の長手方向の後端に設ける構成も可能であるが、押圧用突部３１〜３４の付近に前記係合位置が存在する方が前記ブラシ軸１１に対して押し込み力が有効に伝達されることから、前記に実施形態のものが推奨される。
【００４１】
更にまた、図１０に示すように、係合突起２７とこれに対応する係合凹部２６とを、第１分割体２１と第２分割体２２の側縁部に１ないし複数設けるものとしても良い。
【００４２】
なお、前記第１分割半体２１と第２の分割半体２２とは、ヒンジ片２４で連結したものに限られるものではなく、図１１に示すように完全に別体に成形し、両者２１，２２を合体して高周波加熱あるいは接着剤により結着するようにしてもよく、その場合、第１分割半体２１および第２の分割半体２２に結合ずれが発生しないように、両者２１，２２に位置決め用の嵌合部４１，４２を形成するのが好ましい。
【産業上の利用可能性】
【００４３】
なお、本発明は、前記実施形態に示したような歯間ブラシＰに限らず、マスカラ用のブラシなどの各種の柄付き小形ブラシにも適用可能である。
【図面の簡単な説明】
【００４４】
【図１】この発明の実施形態にかかる小形ブラシを示す外観斜視図である。
【図２】同じく小形ブラシを示す分解斜視図である。
【図３】同じく小形ブラシにおける要部の拡大断面図である。
【図４】（Ａ）ブラシ柄にブラシ軸を挿入した状態を示す断面図である。（Ｂ）ブラシ柄にブラシ軸を固定した状態を示す断面図である。
【図５】押圧用突部による噛み込み状態の説明図である。
【図６】押圧用突部による噛み込み状態の変形例の説明図である。
【図７】押圧用突部による噛み込み状態の別の変形例の説明図である。
【図８】押圧用突部による噛み込み状態のさらに別の変形例の説明図である。
【図９】第１分割半体と第２分割半体との連結位置の他の例を示す断面図である。
【図１０】第１分割半体と第２分割半体との連結位置の更に他の例を示す分解斜視図である。
【図１１】第１分割半体と第２分割半体とを別体とした場合の説明用断面図である。
【符号の説明】
【００４５】
１・・・・・・・・・・・・ブラシ部
２・・・・・・・・・・・・ブラシ柄
２ａ・・・・・・・・・・・ブラシ柄の先端部
１１・・・・・・・・・・・ブラシ軸
１１ａ・・・・・・・・・・ブラシ軸の先端部
１１ｂ・・・・・・・・・・ブラシ軸の基端部
１２・・・・・・・・・・・ブラシ毛
２１・・・・・・・・・・・第１分割半体
２１ａ，２２ａ・・・・・・対向面
２２・・・・・・・・・・・第２分割半体
２４・・・・・・・・・・・ヒンジ片
２６・・・・・・・・・・・係合部
２７・・・・・・・・・・・係止片
３１，３２，３３，３４・・押圧用突部
【図３】
2005176906.tif 000003
【図５】
2005176906.tif 000004
【図６】
2005176906.tif 000005
【図７】
2005176906.tif 000006
【図８】
2005176906.tif 000007
【図１１】
2005176906.tif 000008
【図１】
2005176906.tif 000009
【図２】
2005176906.tif 000010
【図４】
2005176906.tif 000011
【図９】
2005176906.tif 000012
【図１０】
2005176906.tif 000013